(57)【要約】【課題】簡単な装置構成で駐車位置を容易に確認する。【解決手段】駐車場２は、出入口通路３、駐車エリア４、歩行者通路５から構成される。出入口通路３には出入車両管理装置１５が、各駐車スペース１１ａ〜１４ｊには駐車券発券装置１６が、歩行者通路５には駐車位置案内装置１７がそれぞれ設置される。駐車券３０には、無線タグ３２が組み込まれている。無線タグ３２は、アンテナ３３ａとＩＣ３４とからなり、電波の通信機能を備える。駐車券発券装置１６のデータライタ４１は、ＩＣ３４の駐車位置データエリア３４ａに駐車位置データを、発券時間データエリア３４ｂに発券時間データを記録する。駐車位置案内装置１７のデータリーダ５０は、無線タグ３２から送信される駐車位置データの電波を受信する。マイコン４８は、受信した駐車位置データに基づき、車両位置表示パネル５２に、駐車位置と通行ルートＲとを表示する。【選択図】図１
2004206198.tif 000002
【特許請求の範囲】
【請求項１】
車両が出入りする車両出入口と、車両が駐車される複数の駐車スペースと、車両から降りた利用者が通行するユーザ通路とを備えた駐車場に設置される駐車位置確認システムであって、
データが記録可能な記録媒体を有する駐車券と、この駐車券を発券する駐車券発券手段と、前記記録媒体に各駐車スペースに対応した位置データを記録する位置データ記録手段と、前記記録媒体に記録された位置データを読み取る位置データ読み取り手段と、読み取った位置データに基づき駐車位置を表示する駐車位置表示手段とを備えたことを特徴とする駐車位置確認システム。
【請求項２】
前記駐車券の記録媒体を、無線タグから構成したことを特徴とする請求項１記載の駐車位置確認システム。
【請求項３】
前記駐車券発券手段を、前記複数の駐車スペース毎に設置したことを特徴とする請求項１または２記載の駐車位置確認システム。
【請求項４】
前記駐車券発券手段を、車両出入口に設置したことを特徴とする請求項１または２記載の駐車位置確認システム。
【請求項５】
前記位置データ記録手段を、前記複数の複数の駐車スペース毎に設置したことを特徴とする請求項１ないし４いずれか１つ記載の駐車位置確認システム。
【請求項６】
前記位置データ読み取り手段と駐車位置表示手段とを、前記ユーザ通路に設置したことを特徴とする請求項１ないし５いずれか１つ記載の駐車位置確認システム。
【請求項７】
前記駐車位置表示手段は、この駐車位置表示手段が設置された場所から駐車位置までの通行ルートを表示することを特徴とする請求項１ないし６いずれか１つ記載の駐車位置確認システム。
【請求項８】
前記駐車券は、前記車両出入口で回収され再利用されることを特徴とする請求項１ないし７いずれか１つ記載の駐車位置確認システム。
【発明の詳細な説明】
【０００１】
【発明の属する技術分野】
本発明は、駐車場に駐車した車両の位置を確認する駐車位置確認システムに関するものである。
【０００２】
【従来の技術】
【特許文献１】
特開平１０−１１６３９９号公報
【０００３】
駐車した車両の位置を確認する駐車位置確認装置が、例えば特許文献１などで提案されている。この駐車位置確認装置では、入口で駐車券発行時刻を記録した駐車券を発行し、カメラ等の駐車位置判定手段により、駐車券に記録された駐車券発行時刻に対応する車両が駐車するまでの軌跡を把握し、車両が駐車した位置を識別した後にその駐車位置情報を送信し、駐車券に備えられた電波受信装置により駐車位置情報を受信して、駐車券に備えられたＣＰＵにより駐車券に駐車位置情報を記録している。
【０００４】
【発明が解決しようとする課題】
しかしながら、特許文献１の駐車位置確認装置では、駐車券は自車情報記憶手段と自車情報案内手段と駐車位置情報受信手段とを備えるため、サイズが大きくなり、ポケットや鞄等に収納する際に嵩張ってしまう。また、駐車位置情報により駐車位置を知ることはできるが、その駐車位置の場所や駐車位置までの通行ルート等は知ることができない。例えば、Ａ１〜Ａ１００という１００台分の駐車スペースが設けられた駐車場で、ユーザが「Ａ１５」という駐車位置に駐車した場合、ユーザは「Ａ１５」という駐車位置を知ることができるが、「Ａ１５」という駐車位置の場所を知ることができない。そのため、大きな駐車場では、車両を探し出すのに時間がかかっていた。さらに、車両が入口を通過し、車両検出手段により車両の存在位置を検出し、完全に駐車して駐車位置判定手段により車両がどの駐車領域に駐車したかを判定するまでは、後続する車両は入口から入車することができず、待機状態となる。大きな駐車場では、入口から入車した車両が駐車するまでは長い時間を要することから、この入口での待機時間が長くなり問題となっていた。
【０００５】
本発明は、上記課題を解決するためのものであり、駐車位置を確認することができるとともに、駐車位置までの通行ルートを知ることができる駐車位置確認システムを提供することを目的とする。
【０００６】
【課題を解決するための手段】
上記目的を達成するために、本発明の駐車位置確認システムは、データが記録可能な記録媒体を有する駐車券と、この駐車券を発券する駐車券発券手段と、前記記録媒体に各駐車スペースに対応した位置データを記録する位置データ記録手段と、前記記録媒体に記録された位置データを読み取る位置データ読み取り手段と、読み取った位置データに基づき駐車位置を表示する駐車位置表示手段とから構成したものである。
【０００７】
なお、前記駐車券の記録媒体を、無線タグから構成することが好ましい。また、前記駐車券発券手段を、前記複数の駐車スペース毎に、あるいは、車両出入口に設置するとよい。さらに、前記位置データ記録手段を、前記複数の複数の駐車スペース毎に設置することが好ましい。また、前記位置データ読み取り手段と駐車位置表示手段とを、前記ユーザ通路に設置することが好ましい。さらに、前記駐車位置表示手段は、この駐車位置表示手段が設置された場所から駐車位置までの通行ルートを表示することが好ましい。また、前記駐車券は、前記車両出入口で回収され再利用されることが好ましい。
【０００８】
【発明の実施の形態】
図１は、本発明の駐車位置確認システムが設置された駐車場２を示す概略平面図である。駐車場２は、車両の出入口である出入口通路３と、車両を駐車する駐車エリア４と、車両から降りた利用者が通行する歩行者通路５とから構成されている。
【０００９】
出入口通路３は、車両が入場する入口通路３ａと車両が出て行く出口通路３ｂとからなる。駐車エリア４は、４つの区画に分けられ、各駐車区画１１〜１４には、各１０個ずつ駐車スペース１１ａ〜１１ｊ，１２ａ〜１２ｊ，１３ａ〜１１ｊ，１４ａ〜１４ｊが設けられている。歩行者通路５は、駐車場２の駐車エリア４と、駐車場２を設置した施設、例えばデパートとを結ぶように設けられている。車両から降りた利用者は、歩行者通路５を歩行して駐車エリア４と施設との間を移動する。
【００１０】
出入口通路３には出入車両管理装置１５が、各駐車スペース１１ａ〜１４ｊには駐車券発券装置１６が、歩行者通路５には駐車位置案内装置１７がそれぞれ設置されている。出入車両管理装置１５，駐車券発券装置１６，駐車位置案内装置１７のブロック図である図２に示すように、出入車両管理装置１５は、マイコン１９によって制御されている。このマイコン１９には、入口通路３ａに進入してきた車両を検知する車両センサ２０と、入口通路３ａと出口通路３ｂとをそれぞれ開閉する遮断ゲート２１，２２と、車両の出入りを記録する出入記録メモリ２３と、データリーダ２４と、料金支払い機２５と、料金表示パネル２６と、駐車券回収機２７とが接続されている。
【００１１】
図３（Ａ）に示すように、出入車両管理装置１５の出口通路３ｂ側の面には、データリーダ２４、料金支払い機２５、料金表示パネル２６、駐車券回収機２７が配置されている。データリーダ２４は、出口通路３ｂに進入してきた車両内の駐車券３０（同図Ｂ参照）から駐車位置データや発券時間データ等を読み取る。料金支払い機２５は、データリーダ２４が読み取った発券時間データから駐車料金や駐車時間を計算するとともに、紙幣挿入部２５ａ及び硬貨投入部２５ｂによって駐車料金の支払いを受ける。料金表示パネル２６は、料金支払機２５で計算された駐車料金や駐車時間等を表示する。駐車券回収機２７は、駐車場２から出て行く利用者に使用済みの駐車券３０を回収口２７ａに挿入してもらい、これを回収する。
【００１２】
駐車券３０は、例えばプラスチック製のカードからなる。駐車券３０の表面には、例えば感熱記録によって印字及び消去が可能な印字層が形成されており、駐車場２に入場した時間３０ａが印字される。また、駐車券３０には、車両の駐車位置と発券時間とが電気的に記録される無線タグ３２が組み込まれている。無線タグ３２は、例えば、薄い金属膜で形成されたアンテナ３３と、このアンテナ３３に接続されたＩＣ３４とからなる。ＩＣ３４には、アンテナ３３によってデータリーダ２４と通信を行なう通信回路と、メモリとが組み込まれている。メモリには、車両の駐車位置が記録される駐車位置データエリア３４ａと、発券時間が記録される発券時間データエリア３４ｂとが設けられている。
【００１３】
データリーダ２４は、アンテナと、このアンテナを用いて電波の送受信を行なう通信回路とからなる。稼働中のデータリーダ２４は、周囲に電波（質問信号）を送信する。電波の到達エリアに進入した無線タグ３２は、アンテナ３３で電波を受信する。ＩＣ３４の通信回路は、受信した電波から電力を得、メモリに記録されている駐車位置データ及び発券時間データをデータリーダ２４に送信する。無線タグ３２から受信したデータは、データリーダ２４によってマイコン１９に入力される。
【００１４】
駐車券発券装置１６は、各部を制御するマイコン３７と、駐車券３０の発券を要求するための発券スイッチ３８と、駐車券３０を利用者に発券する発券部３９と、駐車券３０の印字層に駐車時間３０ａを印字するデータ印字部４０と、無線タグ３２に駐車位置データ及び発券時間データを記録するデータライタ４１と、駐車スペースの車両を検知する車両センサ４２とからなる。
【００１５】
図４（Ａ）に示すように、駐車券発券装置１６の前面には、発券スイッチ３８を操作するための発券ボタン４４と、発券部３９から発行された駐車券３０が送り出される発券開口４５と、車両センサ４２とが配置されている。データライタ４１は、データリーダ２４と同様に電波によって無線タグ３２にアクセスして、駐車位置データと発券時間データとを送信する。
【００１６】
駐車位置案内装置１７は、各部を制御するマイコン４８と、駐車位置案内装置１７から各駐車スペースまでの通行ルートを記録したＲＯＭ４９と、駐車券３０の無線タグ３２から駐車位置データと発券時間データとを読み取るデータリーダ５０と、駐車位置案内装置１７の前の利用者の有無を検知する対人センサ５１と、車両の駐車位置と、駐車位置案内装置１７から駐車位置までの通行ルートＲとを表示する車両位置表示パネル５２とからなる。図５に示すように、駐車位置案内装置１７の前面には、データリーダ５０と対人センサ５１と車両位置表示パネル５２とが配置されている。
【００１７】
次に、本実施形態の作用について説明する。図６に示すように、ユーザ６１が運転するユーザ車両６２が入口通路３ａを通って出入車両管理装置１５に到達すると、出入車両管理装置１５は、車両センサ２０で車両を検出し、駐車スペース１１ａ〜１４ｊに空きがあると入口遮断ゲート２１を開く。この時、マイコン１９は、出入記録メモリ２３に入車時間を記録する。ユーザ６１は、図中２点鎖線で示すように、ユーザ車両６２を規定の走行方向（例えば、時計方向）に走行させ、駐車スペース１１ａ〜１４ｊの空きスペースを探し、例えば空きスペースである駐車スペース１１ｆにユーザ車両６２を駐車する。
【００１８】
ユーザ６１が、駐車スペース１１ｆに設置された駐車券発券装置１６の発券ボタン４４を押すと、発券開口４５から駐車券３０が発券される。ユーザ６１が発券ボタン４４を押した時間が例えば１５：２０の場合には、データライタ４１により、駐車位置データエリア３４ａに「駐車スペース１１ｆ」という駐車位置データが、発券時間データエリア３４ｂに「１５：２０」という発券時間データが記録されるとともに、データ印字部４０により「１５：２０」という発券時間が印字された駐車券３０が、発券開口４５から発券される。なお、駐車スペースに車両が駐車されたことは、車両センサ４２によって検知されている。マイコン３７は、車両センサ４２による車両検知後、一定時間（例えば、３０秒）が経過しても利用者による発券が行われない場合には、利用者に発券を促すために、スピーカ（図示せず）から、「発券ボタンを押してください」等のアナウンスを行う。
【００１９】
ユーザ６１は、駐車エリア４から歩行者通路５を通りデパート等の施設に向かう。そして、デパートで買い物等の所望する行動を終えると、歩行者通路５を通り駐車エリア４へ向かう。歩行者通路５には駐車位置案内装置１７が設置されており、データリーダ５０は電波を送信している。電波の到達エリアに進入した無線タグ３２は、電波を受信して、その受信した電波に応じて駐車位置データエリア３４ａに記録された駐車位置データの電波を送信する。データリーダ５０は、無線タグ３２から送信された駐車位置データの電波を受信し、受信した駐車位置データをマイコン４８に送る。このように、非接触方式で駐車位置データエリア３４ａに記録された駐車位置データを読み取るから、荷物等で手がふさがっていて駐車券３０を取り出せない場合にも、有効である。
【００２０】
マイコン４８は、データリーダ５０で受信した駐車位置データに基づき、車両位置表示パネル５２に、駐車位置（駐車スペース１１ｆ）と、駐車位置案内装置１７が設置された場所（現在地）から駐車位置までの通行ルートＲとを表示する。そのため、ＲＯＭ４９内には予め、現在地から駐車スペース１１ａ〜１４ｊまでの各通行ルートデータが記憶されている。なお、駐車位置案内装置１７にプリンタを設け、車両位置表示パネル５２に表示した駐車位置と通行ルートＲとをプリントしてもよい。また、データリーダ５０で発券時間データエリア３４ｂに記録された発券時間データを読み取り、読み取った発券時間データと現時刻とに基づき、車両位置表示パネル５２に、出入車両管理装置１５での支払い予定金額を表示してもよい。なお、対人センサ５１で人を検知しており、駐車位置案内装置１７の前を利用者が通ったときのみ、マイコン４８は車両位置表示パネル５２の電源をオンする。
【００２１】
ユーザ６１は、車両位置表示パネル５２に表示された駐車位置までの通行ルートＲに従って駐車スペース１１ｆに向かう。駐車スペース１１ｆに到着すると、ユーザ車両６２を規定の走行方向に走行させ、出口通路３ｂを通って出入車両管理装置１５に向かう。出入車両管理装置１５に到着すると、ユーザ６１は、駐車券３０の駐車位置データや発券時間データ等をデータリーダ２４に読み取らせる。料金支払い機２５は、データリーダ２４が読み取った発券時間データと、現時刻とに基づき駐車料金や駐車時間等を計算する。料金表示パネル２６には、料金支払機２５で計算された駐車料金や駐車時間等が表示される。ユーザ６１は、表示された駐車料金を紙幣挿入部２５ａ及び硬貨投入部２５ｂに支払い、駐車券３０を回収口２７ａに挿入する。料金の支払いが確認されると出口遮断ゲート２２が開き、ユーザ車両６２を出車することができる。マイコン１９は、出入記録メモリ２３に車両の出車時間を記録する。回収口２７ａに挿入された駐車券３０は、回収され、記録された発券時間データと駐車位置データと、印字された発券時間とが消去された後に、再利用される。
【００２２】
このように、ユーザ６１は駐車位置案内装置１７の前を通るだけで、容易に駐車位置と、駐車位置案内装置１７が設置された場所（現在地）から駐車位置までの通行ルートＲとを確認することができる。さらに、駐車券３０は出入車両管理装置１５で回収されるから、再利用することができる。また、ユーザ６１が駐車エリア５で駐車スペース１１ａ〜１４ｊの空きスペースを探している間でも、駐車スペース１１ａ〜１４ｊに空きがある場合には、後続する車両は、出入車両管理装置１５で待機させられることなく駐車エリア４に進入することができる。
【００２３】
なお、上記実施形態では、駐車券３０に電波の通信機能を備える無線タグ３２を取り付け、無線タグ３２のＩＣ３４内に駐車位置データエリア３４ａと発券時間データエリア３４ｂとを設けたが、これに限定されることなく、データの記録が可能なものであれば磁気カード等から構成してもよい。
【００２４】
また、上記実施形態では、各駐車スペース１１ａ〜１４ｊ毎に駐車券発券装置１６を設置し、この駐車券発券装置１６で駐車券３０を発券したが、出入車両管理装置１５で駐車券３０を発券してもよい。この場合には、各駐車スペース１１ａ〜１４ｊに駐車位置データ記録部を設け、この駐車位置データ記録部で駐車位置データエリア３４ａに駐車位置データを記録する。
【００２５】
さらに、上記実施形態では、歩行者通路５を１個設け、それに対応して駐車位置案内装置１７を１個設置したが、これに限定されることなく、それぞれの個数は適宜変更してもよい。歩行者通路５を複数設ける場合には、複数の歩行者通路５毎に駐車位置案内装置１７を設置する。これにより、複数の歩行者通路５のうち、どの通路を通っても、駐車位置案内装置１７により駐車位置を確認することができる。
【００２６】
さらに、上記実施形態では、駐車券３０に取り付けられた無線タグ３２のＩＣ３４内に駐車位置データと発券時間データとを記録したが、車両キーに無線タグを取り付け、各駐車スペース１１ａ〜１４ｊ毎に駐車位置データ記録部を設けて、この駐車位置データ記録部で無線タグのＩＣに駐車位置データを記録してもよい。
【００２７】
また、上記実施形態では、駐車券発券装置１６のデータライタ４１により駐車位置データエリア３４ａに駐車位置データを記録したが、駐車位置データエリア３４ａに、予め各駐車スペース１１ａ〜１４ｊに対応した駐車位置データを記録しておいてもよい。
【００２８】
【発明の効果】
以上説明したように、本発明の駐車位置確認システムによれば、データが記録可能な記録媒体を有する駐車券と、この駐車券を発券する駐車券発券手段と、前記記録媒体に各駐車スペースに対応した位置データを記録する位置データ記録手段と、前記記録媒体に記録された位置データを読み取る位置データ読み取り手段と、読み取った位置データに基づき駐車位置を表示する駐車位置表示手段とを備えたから、容易に駐車位置を確認することができる。また、駐車券の記録媒体を電波の通信機能を備えた無線タグから構成したから、位置データ読み取り手段と非接触で自動的に駐車位置を確認することができる。さらに、駐車位置表示手段は、この駐車位置表示手段が設置された場所から駐車位置までの通行ルートを表示するから、より一層容易に駐車位置を確認することができる。また、駐車券は、出入車両管理部で回収され再利用されるから、効率的である。
【図面の簡単な説明】
【図１】本発明の駐車位置確認システムが設置された駐車場の概略平面図である。
【図２】出入車両管理装置と駐車券発券装置と駐車位置案内装置との電気的構成を示すブロック図である。
【図３】出入車両管理装置と駐車券とを示す概略正面図である。
【図４】駐車券発券装置と駐車券とを示す概略正面図である。
【図５】駐車位置案内装置と駐車券とを示す概略正面図である。
【図６】車両が進入してきたときの動きを示す概略図である。
【符号の説明】
２  駐車場
３  出入口通路
４  駐車エリア
５  歩行者通路
１１〜１４  駐車区画
１１ａ〜１４ｊ  駐車スペース
１５  出入車両管理装置
１６  駐車券発券装置
１７  駐車位置案内装置
１９  マイコン
２４  データリーダ
２７  駐車券回収機
２７ａ  回収口
３０  駐車券
３２  無線タグ
３３  アンテナ
３４  ＩＣ
３４ａ  駐車位置データエリア
３４ｂ  発券時間データエリア
３７  マイコン
３８  発券スイッチ
３９  発券部
４０  データ印字部
４１  データライタ
４８  マイコン
４９  ＲＯＭ
５０  データリーダ
５２  車両位置表示パネル５２
【図１】
2004206198.tif 000003
【図２】
2004206198.tif 000004
【図３】
2004206198.tif 000005
【図４】
2004206198.tif 000006
【図５】
2004206198.tif 000007
【図６】
2004206198.tif 000008